(57)【特許請求の範囲】
【請求項１】
長手方向に延びる複数の平坦部が円周方向に等間隔で形成された非円形断面をもつアルミ押出形材製の支柱と、支柱が嵌り込む開口部が中央に形成されたリング状本体をもち、複数の連結孔がリング状本体に設けられているリング状連結金具と、平坦部を含めて支柱の非円形断面に対応した内側面をもち、平坦部に取付け金具挿通用の貫通孔が形成されている補助金具とを備え、支柱の長手方向に関して上側及び下側で支柱に固定された補助金具によりリング状連結金具が挟持されることを特徴とする連結金具を備えた作業足場用支柱。
【請求項２】
補助金具をリング状連結金具と一体にした請求項１記載の作業足場用支柱。
【請求項３】
連結金具及び補助金具はアルミ押出形材を切断して作られたものである請求項１記載の作業足場用支柱。
【請求項４】
円周方向に複数の平坦部が等間隔で形成された非円形断面をもつアルミ押出形材製の支柱と、支柱の平坦部に面接触する側面をもち、連結孔が形成されている分割型連結金具と、支柱の長手方向に関して上側及び下側で分割型連結金具を挟持し、取付け金具挿通用の貫通孔が形成され、分割型連結金具と一体成形された補助金具とを備えていることを特徴とする連結金具を備えた作業足場用支柱。
【請求項５】
一体成形された分割型連結金具及び補助金具はアルミ押出形材を切断して作られたものである請求項４記載の作業足場用支柱。
【発明の詳細な説明】
【０００１】
【産業上の利用分野】
本発明は、住宅建築，塗装等の工事現場で使用される足場を構築するための支柱に関する。
【０００２】
【従来の技術】
工事現場では、作業用の足場を構築するため鉄製支柱に横ステーを水平方向又は斜め方向に連結している。支柱と横ステーとの連結には、従来から各種の方法が提案されている。
たとえば、特公平３−１４９７８号公報では、支柱に固着したフランジに横ステーの接続部を嵌め合わせ、フランジ及び接続部を貫通するクサビを差し込んでいる。実公平７−５１５５８号公報では、両端部にコ字型ジョイント片を固着した横ステーを用意し、支柱に固着したジョイント板とコ字型ジョイント片とを重ね合わせてクサビ止めし、コ字型ジョイント片の一部を支柱の側面に当接させる連結構造が紹介されている。
【０００３】
【発明が解決しようとする課題】
足場に使用される資材は、工事終了後に解体され、次の工事現場で再使用される。そのため、横ステーとの連結・取外しが可能な連結構造が望まれており、特公平３−１４９７８号公報，実公平７−５１５５８号公報のように、ジョイント板が支柱に溶接されている。
また、運搬や取扱い等を考慮すると、軽量部材の使用が望まれる。軽量性に優れ且つ工事現場等で加えられる荷重に耐える材料としては、アルミニウム合金製押出形材（以下、単にアルミ押出形材という）が挙げられる。しかし、足場の主要構成部材である支柱にアルミ押出形材を使用する場合、ジョイント板を溶接で支柱に固着すると、溶接時の入熱によって支柱の強度が低下し、必要強度を確保できない。そこで、アルミ押出形材を使用するためには、従来の鉄製支柱とは異なる連結構造が要求される。
本発明は、このような要求に応えるべく案出されたものであり、連結金具の安定した取付けを可能にする平坦部をもつアルミ押出形材でできた支柱を使用することにより、溶接等による材質劣化や変形の虞れがなく、軽量で強度的にも優れた足場の構築及び資材の再使用を可能にすることを目的とする。
【０００４】
【課題を解決するための手段】
本発明の作業足場用支柱は、その目的を達成するため、長手方向に延びる複数の平坦部が円周方向に等間隔で形成された非円形断面をもつアルミ押出形材製の支柱と、支柱が嵌り込む開口部が中央に形成されたリング状本体をもち、複数の連結孔がリング状本体に設けられているリング状連結金具と、平坦部を含めて支柱の非円形断面に対応した内側面をもち、平坦部に取付け金具挿通用の貫通孔が形成されている補助金具とを備え、支柱の長手方向に関して上側及び下側で支柱に固定された補助金具によりリング状連結金具が挟持されることを特徴とする。連結金具は、リング状に替え、支柱の平坦部に当接される分割型連結金具とすることもできる。また、補助金具は、リング状連結金具と一体成形してもよく、分割型連結金具では補助金具と一体になったものが必要である。
【０００５】
【実施の形態】
本発明に従った支柱１０は、アルミ押出形材を所定長さに切り出して作られている。支柱１０は、図１に示すように円周部１１の間に等間隔で複数の平坦部１２が設けられた非円形になっている（ａ）。円周方向に関する平坦部１２の幅は、連結金具２０及び補助金具３０が安定状態で取り付けられる幅に設定されている。また、平坦部１２には、補助金具３０を固着するボルト，リベット等が固定される雌ネジ孔、或いは差し通される挿通孔１３が支柱１０の長手方向に沿って所定間隔で設けられている。なお、通常のボルトに変えて、ドリリングタッピングネジを用いても良く、この場合には支柱１０に予めを挿通孔１３を形成しておかなくても補助金具３０を支柱１０の平坦部１２に固定できる。
【０００６】
連結金具２０は、支柱１０が差し込まれる開口部２１が中央に形成されたリング状になっており、リング状本体の平面部に等間隔で複数の連結孔２２が形成されている。連結孔２２は、作業足場を構築する際に横部材を常法に従って係合させ、或いはボルト等で固着するために使用される。開口部２１は、支柱１０に対する回り止めを図るために支柱１０の外側面とほぼ同一サイズの円周内面２３及び平坦内面２４で開口部２１を区画することが好ましい。
【０００７】
補助金具３０にも、支柱１０が差し込まれる開口部３１が中央に形成されている。開口部３１に臨む補助金具３０の内側面は、支柱１０の外側面に対応する円周内面３３及び平坦内面３４で構成されている。補助金具３０の外側面は、図示するように円筒状、或いは円周内面３３及び平坦内面３４に対応した非円形側面の何れであってもよい。補助金具３０の管壁には、平坦内面３４から開口部３１に臨む複数の貫通孔３５が形成されている。
【０００８】
連結金具２０を支柱１０に取り付けるに際しては、先ず下側の補助金具３０を支柱１０に嵌め込み、所定位置で補助金具３０を支柱１０に固定する。補助金具３０の固定には、図１の場合、ブラインドリベット３６が使用されている。補助金具３０の貫通孔３５に差し込んだブラインドリベット３６からマンドレル３７を引き抜くと、支柱１０の内側に配置したマンドレル先端部３７ａによってブラインドリベット３６の先端部３６ａが広げられ、カシメ部３８となる。カシメ部３８は、挿通孔１３の内壁面に押し付けられる（ｂ）。これにより、支柱１０に対して補助金具３０が回り止め状態で固着される。
次いで、支柱１０の端部から連結金具２０を差し込み、更に上側の補助金具３０を差し込む。上側の補助金具３０を連結金具２０に密着させ、下側の補助金具３０と同様にして支柱１０に固着するとき、上下の補助金具３０，３０で挟持された状態で連結金具２０が支柱１０に固定される（ｃ）。
【０００９】
固定された連結金具２０は、円周内面２３及び平坦内面２４が支柱の円周部１１及び平坦部１２に当接し、上下の補助金具３０，３０で上下方向の動きが拘束されている。そのため、多少の荷重が加わった場合でも支柱１０に沿って上下動することがなく、安定した足場の構築に利用される。また、連結金具２０がリング状であることから、たとえば支柱１０の円周方向一側で下向きの力が連結金具２０に加わった場合、反対側では上向きの力が加えられることになる。これによっても、支柱１０の上下方向に沿った連結金具２０の移動が防止される。更に、連結金具２０を厚くすると、支柱１０に対する接触面積が大きくなり、更に強固な連結部継手となる。
【００１０】
支柱１０に固着された連結金具２０は、横ステーとなるパイプ材等の固定に使用される。たとえば、連結金具２０の連結孔２２にパイプ端部の取付け金具を係合し固定することにより、連結金具２０を介してパイプ材が支柱１０に取り付けられ、作業用足場が構築される。作業用足場の解体に際しては、常法に従って横ステーとなるパイプ材等を連結金具２０の連結孔２２から取り外すことによって容易に解体される。また、支柱１０は、従来と同様に工事現場で再使用される。
【００１１】
支柱１０に形成する平坦部１２は、連結金具２０及び補助金具３０に対する十分な接触面積をとれる限り、図２に示すように円周方向に沿って４個或いはそれ以上の個数とすることもできる。この平坦部１２の形状に対応して、同じ位置関係で円周内面２３，３３及び平坦内面２４，３４を形成した連結金具２０及び補助金具３０を使用する。なお、図２では、ドリリングタッピングネジを用いて補助金具３０を支柱１０に固着している。この場合、支柱１０や補助金具３０に挿通孔１３を予め形成しておく必要がなく、加工費が低減される。
【００１２】
連結金具としては、図１に示したリング状の連結金具２０に替え、支柱１０の一部平坦部１２に取り付けられる連結金具を使用することもできる。たとえば、図３に示すように、支柱１０の円周方向に等間隔で形成されている平坦部１２の何れかを選択して分割型連結金具２５をボルト３９で支柱１０に固着する（ａ）。連結金具２５が分割型であることから、隣り合う連結金具２５，２５の高さ方向位置をずらして固定でき（ｂ）、横ステーの外に斜めのブレース材を支柱に取り付ける場合等の広い用途にも利用できる。
分割型連結金具２５は、支柱１０を円周方向に取り囲むことなく平坦部１２の一部に内側面が当るだけであるため、補助金具３０の機能を備えた締結部２６と一体成形する必要がある。なお、図１，２で示したリング状連結金具としても、補助金具３０が一体成形されたものを使用でき、同様に連結強度の高い継手が得られる。また、リング状連結金具２０（図１）や分割型連結金具２５（図３）は、所定断面形状をもつアルミ押出形材を所定長さに切断することによって作製できる。たとえば、図３（ｂ）にハッチングを付けた断面形状のアルミ押出形材を切り出して分割型連結金具２５が作製される。
【００１３】
【発明の効果】
以上に説明したように、本発明の作業足場用支柱は、横部材取付け用の連結金具を機械的な固着手段で支柱に固着する方法を採用しているので、支柱の変形がなく、繰返し使用可能な足場用資材として使用される。また、連結金具が機械的に連結されるため、溶接時の熱影響を受けた場合に問題となる材料強度の低下がなく、アルミ押出形材の軽量性，耐久性，強度を活用した作業足場が構築される。
【図面の簡単な説明】
【図１】  リング状連結金具を備えた作業足場用支柱の分解斜視図（ａ），平断面図（ｂ）及び側面図（ｃ）
【図２】  ４方向に平坦部をもつ作業足場用支柱の平断面図（ａ）及び側面図（ｂ）
【図３】  分割型連結金具を取り付けた作業足場用支柱の平断面図（ａ）及び側面図（ｂ）
【符号の説明】
１０：支柱    １１：円周部    １２：平坦部    １３：挿通孔
２０：連結金具    ２１：開口部    ２２：連結孔    ２３：円周内面
２４：平坦内面    ２５：分割型連結金具    ２６：締結部
３０：補助金具    ３１：開口部    ３３：円周内面    ３４：平坦内面
３５：貫通孔    ３６：ブラインドリベット    ３７：ナット    ３８：ワッシャ    ３９：ボルト
【図１】
0003885335.tif 000002
【図２】
0003885335.tif 000003
【図３】
0003885335.tif 000004